(57)【特許請求の範囲】
【請求項１】
電圧給電装置は、励磁巻線と電圧調整器と励磁電流を付加的に制限するための手段とを有しており、前記電圧調整器は、前記励磁巻線を流れる電流を、前記発電機の出力電圧が一定に維持されるように調整し、前記励磁電流を付加的に制限するための手段は、強い電気負荷の付加接続時に、前記発電機が強く負荷されるのを阻止するロードレスポンス（負荷応答）を行い、更に、前記電圧調整器の制御部によって構成されていて、内燃機関乃至前記発電機の回転数に依存して遮断することができるロードレスポンスドライブ（ＬＲＦ）ファンクション（負荷応答運転機能）を有している内燃機関により駆動される発電機の電圧給電装置において、電圧給電装置は、負の回転数変化の場合に、ロードレスポンスドライブ（ＬＲＦ）ファンクション（負荷応答運転機能）を遮断するロードレスポンスドライブストップ（ＬＲＦＳ）ファンクション（負荷応答運転遮断機能）を有していることを特徴とする電圧給電装置。
【請求項２】
ロードレスポンスドライブファンクション（負荷応答運転機能）は、発電機の位相電圧（ＵＰ）が供給されている回路装置を用いて遮断され、該遮断時に、前記位相電圧（ＵＰ）は、同一波形のパルス（ＵＩＮ）を有する矩形電圧に変換され、前記矩形電圧は、抵抗（Ｒ１及びＲ２）の直列接続並びに並列接続されたコンデンサ（Ｃ１及びＣ２）を介して差動増幅器（Ｄ１）に供給される請求項１記載の電圧給電装置。
【請求項３】
差動増幅器（Ｄ１）の非反転入力側は、各抵抗（Ｒ１，Ｒ２及びＣ１）間の接続部と接続されており、前記差動増幅器（Ｄ１）の反転入力側は、抵抗（Ｒ１）とコンデンサ（Ｃ２）との間の接続部と接続されている請求項２記載の電圧給電装置。
【請求項４】
励磁巻線を流れる電流の電圧調整器は、発電機の出力電圧を一定に維持すように調整され、励磁電流を付加的に制限する手段及び前記励磁電流の付加的な制限を遮断する手段も有している請求項１〜３までのいずれか１記載の電圧給電装置。
【請求項５】
電圧調整器（２２）は、電力トランジスタを有する電力部（２４）及び該電力部（２４）用の制御信号の発生用の制御部（２５）を有している請求項１〜４までのいずれか１記載の電圧給電装置。
【請求項６】
電圧調整器には、内燃機関のクランクシャフトの回転数又は発電機出力電圧（ＵＢ＋）又はバッテリの温度が、励磁電流の調整のために供給される請求項１〜５までのいずれか１記載の電圧給電装置。
【発明の詳細な説明】
本発明は、電圧給電装置は、励磁巻線と電圧調整器と励磁電流を付加的に制限するための手段とを有しており、電圧調整器は、励磁巻線を流れる電流を、発電機の出力電圧が一定に維持されるように調整し、励磁電流を付加的に制限するための手段は、強い電気負荷の付加接続時に、発電機が強く負荷されるのを阻止するロードレスポンス（負荷応答）を行い、更に、電圧調整器の制御部によって構成されていて、内燃機関乃至前記発電機の回転数に依存して遮断することができるロードレスポンスドライブ（ＬＲＦ）ファンクション（負荷応答運転機能）を有している内燃機関により駆動される発電機の電圧給電装置に関する。
従来技術
自動車搭載電源での強い電気負荷の付加接続時に、発電機の強い負荷が生じることが公知である。電気負荷の付加接続により、電圧の急激な低下が生じるので、電圧調整器は、励磁電流の上昇により、発電機によって送出される電力を上昇するように機能する。この手段により、発電機に起因する制動トルクが上昇し、その結果、内燃機関の小さな回転数の場合に、回転数の急激な低下が生じることがある。
回転数の急激な低下をできる限り小さく保持するために、所謂ロードレスポンス（負荷応答）を有するシステムには、発電機が強く負荷されるのを阻止する手段が設けられており、この手段によって、内燃機関での回転数の急激な低下が発生するのも阻止されるが、所要電力は、最早形成することができないので、不所望な電圧の急激な低下が生じることがある。
走行中のロードレスポンスファンクション（負荷応答機能）（ＬＲＦ）が作動される、内燃機関によって駆動される発電機の出力電圧の調整用の装置は、米国特許明細書第５２６２７１１号公報から公知である。この公知のシステムでは、励磁電流は、強い負荷の付加接続後に連続的に上昇し、その結果、強い回転数の急激な低下は生じない。更に、公知のシステムでは、走行中のロードレスポンスファンクション（負荷応答機能）が回転数評価と結合され、その際、励磁電流の上昇は、測定された回転数と閾値との比較に依存して行われる。それに対して、所定状況下でのロードレスポンスファンクション（負荷応答機能）の抑圧は、行われない。
発明の効果
本発明によると、電圧給電装置は、励磁巻線と電圧調整器と励磁電流を付加的に制限するための手段とを有しており、電圧調整器は、励磁巻線を流れる電流を、発電機の出力電圧が一定に維持されるように調整し、励磁電流を付加的に制限するための手段は、強い電気負荷の付加接続時に、発電機が強く負荷されるのを阻止するロードレスポンス（負荷応答）を行い、更に、電圧調整器の制御部によって構成されていて、内燃機関乃至前記発電機の回転数に依存して遮断することができるロードレスポンスドライブ（ＬＲＦ）ファンクション（負荷応答運転機能）を有している内燃機関により駆動される発電機の電圧給電装置は、負の回転数変化の場合に、ロードレスポンスドライブ（ＬＲＦ）ファンクション（負荷応答運転機能）を遮断するロードレスポンスドライブストップ（ＬＲＦＳ）ファンクション（負荷応答運転遮断機能）を有していることにより、従来技術の欠点を克服することができる。
つまり、本発明の、内燃機関により外部励起される発電機の電圧給電装置によると、強い電気負荷の付加接続後に発生する電圧の急激な低下の回数が、公知システムに較べて明らかに低減されるという利点を有している。走行中作動されるロードレスポンスドライブファンクション（負荷応答運転機能）は、所定の条件下で遮断されるので、この利点が達成される。この条件は、回転数低減の検出により取り出され、その際、回転数が降下した場合、ロードレスポンスドライブファンクション（負荷応答運転機能）が遮断され、そうすることによって、励磁電流の急速な上昇が達成され、それにより、発電機が電力送出するようになり、それにより、電圧の急激な低下が阻止される。それに対して、一定回転数、又は、上昇回転数の場合、ロードレスポンスドライブファンクション（負荷応答運転機能）が作動され、内燃機関で強い負荷の付加接続時の発電機の制動されたトルクの上昇が阻止される。
本発明の別の利点は、従属請求項に挙げた要件によって得られる。その際、回転数測定のために、発電機の位相信号を評価すると、殊に有利である。従って、内燃機関のクランクシャフトの回転数を必ずしも評価する必要はなく、何れにせよ、クランクシャフトの回転数を評価又は一緒に考慮することは、所定の状況下では、有利となることがある。
更に有利には、回転数低減時に、ロードレスポンスドライブファンクション（負荷応答運転機能）を非作動状態にすることができる評価手段は、僅かな電子構成部品しか有していない非常に簡単な回路として構成することができる。特定の論理回路を補助的に使用することによって構成することができる回路構成により、マイクロプロセッサ内の機能全体を集積化することができる。この提案された回路構成により、技術的に絶対に必要であるか、乃至、絶対に回避することができない場合、負荷の付加接続時の電圧の急激な低下を極めて僅かしか生じないようにすることができる。
説明
本発明の実施例は、図１に示されており、以下、詳細に説明する。図２には、発電機の巻線から取り出すことができて、本発明により評価される位相信号が時間に依存して示されている。
図面
図１には、本発明の理解に必要な、発電機、電圧調整器並びに車両搭載電源の構成部品が示されている。詳細には、発電機１０のうち、固定子巻線１１，１２，１３（共通の中点ＭＰに接続され、整流器ブリッジ１４に接続されている）が図示されている。整流器ブリッジ１４は、６個の整流器、例えば、制御される整流器１５〜２０から構成されており、整流器１５〜２０は、端子Ｂ＋から、発電機出力側ＵＢ＋及び電流ＩＬが供給される。更に、発電器１０のうち、励磁巻線２１が図示されており、この励磁巻線２１を通って励磁電流ＩＥが流れ、この励磁電流ＩＥは、電圧調整器２２を用いて調整される。励磁巻線２１に並列に、更にフリーホイールダイオード２３が接続されている。
電圧調整器２２は、調整トランジスタを有する電力段２４を有している。電圧調整器２２の電力段２４の制御は、制御段２５を用いて行われ、制御段２５は、所要の制御機能であるロードレスポンスドライブ（負荷応答運転）ＬＲＦ、ロードレスポンスドライブストップ（負荷応答運転遮断）ＬＲＦＳ、並びに、通常の、電圧調整器の出力トランジスタの制御用の調整関数ＲＦを供給する。この関数は、マイクロプロセッサ２６並びに電圧調整器の制御部内の回路３２を用いて形成される。マイクロプロセッサ２６には、入力側Ｅを介して、所要のデータ、例えば、電圧ＵＢ＋、バッテリ温度ＴＢ、クランク軸ｎＫＷの回転数、等が供給され、これらは、通常の電圧調整の際に考慮される。
図２には、発電機の巻線から取り出すことができて、本発明により評価される、種々の回転数ｎ１及びｎ２の場合での位相信号が、時間に亘って示されている。
ロードレスポンスドライブストップファンクション（負荷応答運転遮断機能）ＬＲＦＳの形成のために、図１に示されている調整器の制御部２６内に含まれている回路３２が使われ、回路３２は、以下の構成部品から構成されている：詳細な、信号形成用の特定の回路２７には、発電機１０の１位相から取り出される、回転数依存信号である位相信号ＵＰが、同一波形の矩形パルス（ＵＩＮと呼ばれる）に形成される。このパルスの幅が、図２から分かるように回転数に依存している。位相信号も、形成された信号も、図２に示されている。位相信号ＵＰが取り出される発電機端子は、Ｗで示されている。回転数信号としては、クランク軸ｎＫＷの回転数も使用することができる。
形成された位相信号ＵＩＮは、ロードレスポンスファンクション（負荷応答機能）ＬＲＦＳの遮断用の回路装置３２に供給される。この回路装置は、直列接続された２つの抵抗Ｒ１，Ｒ２並びに並列接続された２つのコンデンサＣ１及びＣ２を有しており、その際、Ｃ１は、Ｒ１とＲ２との間に接続されており、Ｃ２は、Ｒ１に接続されている。抵抗Ｒ１とコンデンサＣ２との間の接続部は、差動増幅器Ｄ１の反転入力側に接続されており、差動増幅器Ｄ１の非反転入力側には、抵抗Ｒ１で降下した電圧ＵＲ１が供給される。つまり、ロードレスポンスドライブファンクション（負荷応答運転機能）は、発電機の位相電圧ＵＰが供給されている回路装置を用いて遮断され、この遮断時に、位相電圧ＵＰは、同一波形のパルスＵＩＮを有する矩形電圧に変換され、矩形電圧は、抵抗Ｒ１及びＲ２の直列接続並びに並列接続されたコンデンサＣ１及びＣ２を介して差動増幅器Ｄ１に供給されるのである。
抵抗Ｒ１，Ｒ２、コンデンサＣ１，Ｃ２及び差動増幅器Ｄ１を含む回路を用いて、所望のロードレスポンスドライブストップファンクション（負荷応答運転遮断機能）ＬＲＦＳが実現される。さもないと、図１に２８で示されている強い負荷の付加接続の際に、ロードレスポンスドライブファンクション（負荷応答運転機能）が作動される。スイッチ２９を介してバッテリ３０に接続することができ、乃至、接続された点火スイッチ３１の場合に発電機端子Ｂ＋にも接続することができる負荷２８は、付加接続の際に発電機に強く負荷される小さな抵抗の負荷である。ロードレスポンスドライブファンクション（負荷応答運転機能）が作動状態である限り、励磁電流ＩＥの上昇速度は、強い負荷の付加接続後制限される。正の励磁電流の変化の原因は、一方では、負荷の付加接続による電流需要が上昇したことであり、他方では、発電機の回転数が小さくて、大きな電力送出が阻止されることである。ロードレスポンスファンクション（負荷応答機能）が作動状態である限り、原理に依存して、車両搭載電源の電圧の急激な低下が生じる。この電圧の急激な低下は、不所望であり、本発明により提案された、所定の条件下でのロードレスポンスファンクション（負荷応答機能）の遮断によって回避される。そのために、抵抗Ｒ１，Ｒ２、コンデンサＣ１，Ｃ２並びに作動増幅器Ｄ１から構成された回路を用いて、供給された信号ＵＩＮから、負の回転数変化が検出され、その際、作動増幅器Ｄ１の出力信号は、ロードレスポンスファンクション（負荷応答機能）を遮断する。回転数、コンデンサＣ１及びＣ２での電圧レベル並びにロードレスポンスファンクションコントロール（負荷応答機能制御）の間の関連は、以下の論理表から分かる：
0003810441.tif 000002
論理表から分かるように、一定回転数の場合、又は、上昇回転数の場合、ロードレスポンスドライブファンクションコントロール（負荷応答運転機能制御）は始動される。下降回転数の場合、この制御は遮断される。不作動不可応答走行機能の場合、励磁電流は需要に応じて上昇し、それにより、内燃機関のクランクシャフトに制動トルクが作用されるが、電圧の急激な低下は通常のように回避される。
【図１】
0003810441.tif 000003
【図２】
0003810441.tif 000004